(57)【要約】【課題】ノズルの周囲に付着したインクをノズルに付着させることなく除去することにより印刷品質を向上させたプリンタ装置およびメンテナンスユニットを提供する。【解決手段】プリンタ装置は、印刷媒体を支持するフラットベッドと、フラットベッドの上方に位置して設けられたガイドバー部材に相対往復移動自在に取り付けられて、下方に向けて形成された吐出開口からインクを吐出するインクジェットノズル孔を備えたプリンタヘッド６３と、ガイドバー部材の端部位置近傍に設けられたメンテナンスユニットとを有している。メンテナンスユニットの上面には、ガイドバー部材の端部のメンテナンス位置に移動したプリンタヘッド６３とメンテナンスユニットとが互いに近づくように相対移動したとき、吐出開口を覆いインクジェットノズル孔内のインクを吸引するヘッドキャップ８９と、プリンタヘッド６３の下面と当接するインク吸収部材８８とが設けられている。【選択図】図３
2009248432.tif 000002
【特許請求の範囲】
【請求項１】
印刷媒体を支持する媒体支持手段と、
前記媒体支持手段の上方に位置して設けられたガイドバー部材に相対往復移動自在に取り付けられて、下方に向けて形成された吐出開口からインクを吐出するノズルを備えたプリンタヘッドと、
前記ガイドバー部材の端部位置近傍に設けられたメンテナンスユニットとを有したプリンタ装置において、
前記メンテナンスユニットの上面には、前記ガイドバー部材の端部のメンテナンス位置に移動した前記プリンタヘッドと前記メンテナンスユニットとが互いに近づくように相対移動したとき、前記吐出開口を覆い前記ノズル内のインクを吸引するキャップ部材と、前記プリンタヘッドの下面と当接するインク吸収部材とが設けられたことを特徴とするプリンタ装置。
【請求項２】
前記プリンタヘッドの下面には、前記プリンタヘッドの下面における周縁部の高さ位置に形成されたヘッド底面から下方に突出したノズル突出部が形成されるとともに前記ノズル突出部の下面に前記吐出開口が形成されており、
前記インク吸収部材は、前記メンテナンス位置に移動した前記プリンタヘッドと前記メンテナンスユニットとが互いに近づくように相対移動したとき、前記プリンタヘッドの下面における前記ヘッド底面と当接する位置に設けられていることを特徴とする請求項１に記載のプリンタ装置。
【請求項３】
吐出開口からインクを吐出するノズルを備えて構成され、印刷媒体に対して相対移動されながら前記吐出開口からインクを吐出するプリンタヘッドに対して、前記ノズル内のインクを吸引してメンテナンスを行うメンテナンスユニットであって、
前記吐出開口を覆い前記ノズル内のインクを吸引するキャップ部材と、前記プリンタヘッドの下面と当接するインク吸収部材とが設けられたことを特徴とするメンテナンスユニット。
【発明の詳細な説明】
【技術分野】
【０００１】
本発明は、プリンタヘッドに形成されたノズルからインクを吐出させて印刷媒体に所望の印刷を施すプリンタ装置、およびそのプリンタ装置に用いるメンテナンスユニットに関する。
【背景技術】
【０００２】
従来、印刷媒体に対してプリンタヘッドを相対移動させながら、プリンタヘッドの下面に形成されたノズルからインクを吐出させて、印刷媒体に所望のパターンで付着させて印刷を施すプリンタ装置（インクジェットプリンタ）が知られている。このようなプリンタ装置にあっては、ノズルに余分なインク滴やごみ等が付着している場合には、ノズルからインクが正常に吐出されない虞がある。そのため、例えば印刷を施す直前に、プリンタヘッドの下面にゴム等で形成されたワイパー部材を当接させてワイピングを行うことにより、ノズルに付着した余分なインク滴やごみ等を除去する方法が知られている。
【０００３】
しかし、このワイピング時に、ワイパー部材によって振り払われたインク滴の一部が飛散して、プリンタヘッドの下面に再び付着することがある。プリンタヘッドの下面にインク滴が付着したままの状態で印刷を行うと、ノズルから吐出されて霧状となったインクミストがインク滴に付着することにより、インク滴はプリンタヘッドの下面に付着した状態で徐々に大きくなる。そして、例えばプリンタヘッドが印刷媒体上に位置した状態においてインク滴が滴下すると、印刷媒体を汚してしまい所望の印刷が困難となる。そのため、従来はオペレータが手作業にてプリンタヘッドの下面に付着したインク滴を除去していたが、このときにノズルを損傷させてしまう虞があった。
【０００４】
そこで、ノズルを損傷させることなくプリンタヘッドの下面に付着したインク滴を除去する方法として、例えば特許文献１には、ノズルを覆ってノズル内に残留したインクを強制的に吸引するキャップ部材を備えたメンテナンスユニットにおいて、キャップ部材の周囲に吸収体を設けた構成が開示されている。この構成によって、ノズルの近傍がキャップ部材に覆われて減圧されノズル内のインクが吸引されるとともに、ノズル周辺に付着したインクが吸収体によって吸収されて除去される。
【特許文献１】特開２００５−７４７６７号公報
【発明の開示】
【発明が解決しようとする課題】
【０００５】
ところで、上記のようにノズルの近傍をキャップ部材で覆って減圧すると、ノズル内部のインクのみならず、ノズルの周囲に付着したインクもキャップ部材に吸引されることがある。そうすると、ノズルの周囲からキャップ部材に吸引されたインクが、ノズルに再び付着してノズルを汚染することがあり、このような汚染されたノズルからインクが吐出され印刷品質を低下させる虞があった。
【０００６】
本発明はこのような問題に鑑みてなされたものであり、ノズルの周囲に付着したインクをノズルに付着させることなく除去することにより印刷品質を向上させたプリンタ装置、およびそのプリンタ装置に用いるメンテナンスユニットを提供することを目的とする。
【課題を解決するための手段】
【０００７】
上記目的達成のため、本発明に係るプリンタ装置は、印刷媒体を支持する媒体支持手段（例えば、実施形態におけるフラットベッド１０）と、前記媒体支持手段の上方に位置して設けられたガイドバー部材に相対往復移動自在に取り付けられて、下方に向けて形成された吐出開口からインクを吐出するノズル（例えば、実施形態におけるインクジェットノズル孔６５ｂ）を備えたプリンタヘッドと、前記ガイドバー部材の端部位置近傍に設けられたメンテナンスユニットとを有して構成される。前記メンテナンスユニットの上面には、前記ガイドバー部材の端部のメンテナンス位置に移動した前記プリンタヘッドと前記メンテナンスユニットとが互いに近づくように相対移動したとき、前記吐出開口を覆い前記ノズル内のインクを吸引するキャップ部材（例えば、実施形態におけるヘッドキャップ８９）と、前記プリンタヘッドの下面と当接するインク吸収部材とが設けられている。
【０００８】
また、上記本発明に係るプリンタ装置において、前記プリンタヘッドの下面には、前記プリンタヘッドの下面における周縁部の高さ位置に形成されたヘッド底面（例えば、実施形態における下端面６６）から下方に突出したノズル突出部（例えば、実施形態におけるノズル部６５）が形成されるとともに前記ノズル突出部の下面に前記吐出開口が形成されて、前記インク吸収部材は、前記メンテナンス位置に移動した前記プリンタヘッドと前記メンテナンスユニットとが互いに近づくように相対移動したとき、前記プリンタヘッドの下面における前記ヘッド底面と当接する位置に設けられた構成が好ましい。
【０００９】
さらに、本発明に係るメンテナンスユニットは、吐出開口からインクを吐出するノズルを備えて構成され、印刷媒体に対して相対移動されながら前記吐出開口からインクを吐出するプリンタヘッドに対して、前記ノズル内のインクを吸引してメンテナンスを行うように構成されている。前記吐出開口を覆い前記ノズル内のインクを吸引するキャップ部材と、前記プリンタヘッドの下面と当接するインク吸収部材とが設けられている。
【発明の効果】
【００１０】
上記のように構成された本発明に係るプリンタ装置は、メンテナンスユニットの上面に、ノズルの吐出開口を覆いノズル内のインクを吸引するキャップ部材と、プリンタヘッドの下面と当接するインク吸収部材とが設けられている。この構成において、プリンタヘッドのメンテナンス時に、キャップ部材によってノズルの吐出開口部分が覆われて吸引されるが、ノズルの周囲近傍は吸引されない。よって、ノズルの内部に残留したインクが吸引されるとともに、ノズルの吐出開口付近に付着した余分なインクやごみ等もが吸引されて除去される一方で、ノズルの周囲近傍からキャップ部材にインクは吸引されない。そのため、ノズルに再びインクが付着してノズルを汚染することがなく、このようなノズルからインクを吐出させることにより高品質な印刷が可能となる。
【００１１】
また、プリンタヘッドのメンテナンス時に、プリンタヘッドの下面に付着したインクは、ノズル内のインクが吸引される際に、インク吸収部材が当接することによって吸収されて除去される。よって、ノズル以外の部分に付着したインクは、単にインク吸収部材に吸収させるという簡易な構成で、且つノズル内のインクの吸引動作に付随して行われる構成でありながら、ノズルが損傷することを回避しつつ確実に除去される。よって、例えば印刷中にプリンタヘッドの下面に付着したインク滴が、印刷媒体に滴下するような事態を回避することができて印刷媒体を汚すことがないので、高品質な印刷が可能となる。
【００１２】
また、インク吸収部材は、メンテナンス時に、プリンタヘッドの下面において吐出開口とは異なった高さ位置に形成されたヘッド底面と当接可能な位置に設けられた構成が好ましい。このように構成した場合、前記プリンタヘッドの下面において、吐出開口が形成された面とヘッド底面との間に段差があるような場合においても、この段差にかかわらず、ヘッド底面にインク吸収部材を当接させることが可能である。よって、プリンタヘッドの下面の形状にとらわれることなく、ヘッド底面に付着したインクをインク吸収部材に吸収させて除去することが可能となる。そのため、印刷中に印刷媒体にインク滴が滴下するような事態を回避することができ、高品質な印刷が可能となる。
【００１３】
本発明に係るメンテナンスユニットを用いて、プリンタヘッドのメンテナンスを行えば、キャップ部材によってノズルの内部のインクが吸引されるとともに、ノズルの吐出開口に付着した余分なインクやごみ等が除去される。また、インク吸収部材がプリンタヘッドの下面と当接することにより、プリンタヘッドの下面に付着したインクがインク吸収部材に吸収されて除去される。つまり、ノズル部分を含めたプリンタヘッドの下面の全体において、インク等が除去されてインクを正常に吐出できる状態に回復させることができるとともに、印刷品質の低下につながるようなインク滴が付着していない状態にすることができる。よって、印刷媒体に所望のパターンでインクを吐出して付着させることができ、印刷品質を向上させることが可能となる。
【発明を実施するための最良の形態】
【００１４】
以下、図１から図５を参照して本発明の好ましい実施形態について説明する。図１に、本発明に係るプリンタ装置の実施例として、主として産業用に用いられるインクジェット方式のプリンタ装置Ｐの外観構成を示している。なお、説明の便宜上各図に示した矢印の方向を左右、前後および上下と定義して以下の説明を行う。
【００１５】
プリンタ装置Ｐは、第１サブアセンブリ１の上方に第２サブアセンブリ５が組み付けら
れてなる。第１サブアセンブリ１は、印刷媒体を固定保持するフラットベッド１０の左右に、前後に延びる前後移動機構２０，３０が設けられて構成されている。第２サブアセンブリ２は、左右に延びる長尺状のガイドバー部材５０に沿って左右に移動可能に印刷ユニット６０が取り付けられるとともに、ガイドバー部材５０の左右端部にインク供給装置７０およびメンテナンスユニット８０が取り付けられて構成されている。
【００１６】
フラットベッド１０は、印刷媒体を載置する矩形状の載置台１１を備えており、載置台１１の上面に形成された多数の小孔を介して負圧吸引することにより、プリント対象物を固定保持可能になっている。また、フラットベッド１０は、載置台１１から下方に延びた複数の脚１２，１２，…を有しており、床面上の所定高さ位置に載置台１１が設定される。なお、前後移動機構２０（３０）の一例として、駆動モータ（図示せず）に連結された駆動スプロケット（図示せず）と従動スプロケット（図示せず）との間に歯付ベルト（図示せず）を掛け回した構成がある。そして、この歯付ベルトは、その両端部が係止部材（図示せず）を介して連結されてリング状になっている。よって、駆動モータを回転駆動させることにより、歯付ベルトが前後移動するとともに係止部材が前後移動する構成となっており、この係止部材に対してガイドバー部材５０が取り付けられる。
【００１７】
ガイドバー部材５０は、フラットベッド１０の上方に配設されており、その左右長さがフラットベッド１０よりも長く、係止部材に取り付けられた状態において左右端部５０ａ，５０ｂがフラットベッド１０に対して左右に突出する。ガイドバー部材５０には、左右に水平に延びるガイドレール５２が設けられており、ガイドレール５２に案内されて左右に移動可能に印刷ユニット６０が取り付けられている。
【００１８】
印刷ユニット６０は、外周部がカバー６１によって覆われており、内部には後面がガイドレール５２と嵌合して左右に移動可能となったキャリッジ６２、およびキャリッジ６２に搭載された複数のプリンタヘッド６３，６３，…を有して構成される。ここで、図３に、プリンタヘッド６３と後述するキャップユニット８５とが上下に対向した状態の斜視図、図４（ａ）に、プリンタヘッド６３を左方から見た図、図４（ｂ）に、プリンタヘッド６３を下方から見た図をそれぞれ示している。プリンタヘッド６３は、図３および図４に示すように、本体部６４の下側に形成された下端面６６から下方に延びてノズル部６５が形成されている。さらに、ノズル部６５の下側にノズル面６５ａが形成されており、ノズル部６５の内部からノズル面６５ａに延びて形成された多数のインクジェットノズル孔６５ｂが、ノズル面６５ａにおいて吐出開口６５ｃを下方に開放して設けられている。プリンタヘッド６３の上部には、インク供給管６８が取り付けられており、インク供給装置７０から供給されたインクは、インク供給管６８を介してプリンタヘッド６３の内部に供給されてインクジェットノズル孔６５ｂを通過した後、吐出開口６５ｃから吐出される。
【００１９】
ガイドバー部材５０の右端部５０ａには、プリンタヘッド６３にインクを供給するためのインク供給装置７０が取り付けられているとともに、印刷ユニット６０の移動制御やプ
リンタヘッド６０のインクの吐出制御を行うためのヘッド制御装置（図示せず）が設けられている。左端部５０ｂには、メンテナンスユニット８０が取り付けられている。
【００２０】
また、フラットベッド１０の右側下部とインク供給装置７０とを繋いで第１フレキシブ
ルケーブルガイド（図示せず）が設けられており、この第１フレキシブルケーブルガイドの内部に、フラットベッド１０に配設された電源および制御機器類（図示せず）から第２サブアセンブリ５側の装置類を駆動制御するための電力や制御信号を供給するための電線が配設されている。これにより、フラットベッド１０に対するガイドバー部材５０の前後移動を許容しつつ、第１サブアセンブリ１側から第２サブアセンブリ５側に電力や制御信号を供給することができる。また、ガイドバー部材５０の右端部と印刷ユニット６０とを繋いで第２フレキシブルケーブルガイド６９が設けられており、この第２フレキシブルケーブルガイド６９の内部に、印刷ユニット６０を駆動制御するための電力や制御信号を供給するための電線や、インク供給装置７０からプリンタヘッド６３にインクを供給するためのチューブが配設されている。これにより、印刷ユニット６０の左右移動を許容しつつ、ガイドバー部材５０側から印刷ユニット６０に、電力、制御信号およびインクを供給することができる。
【００２１】
メンテナンスユニット８０は、図１に示すように、ガイドバー部材５０の左端部５０ｂを覆って取り付けられたハウジング８０ａの内部に設けられている。なお、ガイドレール５２はハウジング８０ａにより覆われる左端部５０ｂにも延びており、印刷ユニット６０をハウジング部材８０ａの内部まで移動させることができるようになっている。
【００２２】
図２に示すように、メンテナンスユニット８０は、ベースプレート８１、ユニット本体８２、上下駆動機構８３およびキャップユニット８５を主体に構成される。ユニット本体８２は、ガイドバー部材５０の左端部５０ｂに取り付けられている。ベースプレート８１は、ユニット本体８２の内部に設けられた上下駆動機構８３によって、ユニット本体８２に対して上下に移動可能となっており、この上下駆動機構８３は種々の従来技術を用いて構成することが可能であり、ここでの説明は省略する。ベースプレート８１には、プリンタヘッド６３，６３，…の個数に対応する複数のキャップユニット８５，８５，…が、プリンタヘッドと同じ間隔で左右に並んで取り付けられている。ベースプレート８１の上面に位置するキャップユニット８５，８５，…は、印刷ユニット６０がガイドバー部材５０の左端部５０ｂまで移動したときにおいて、プリンタヘッド６３，６３，…と上下に対向する。
【００２３】
キャップユニット８５の構成ついて詳しく説明すると、図３に示すように、キャップユニット８５は、ベース部材８６、載置部材８７、インク吸収部材８８およびヘッドキャップ８９を主体に構成される。インク吸収部材８８は、例えば平板状に形成されてその中央部近傍に矩形の開口部が形成されている。また、インク吸収部材８８として、インクを吸収可能な例えば多孔質の部材を用いることが可能である。ヘッドキャップ８９は、例えばゴム材等により成形されるとともに、ノズル面６５ａ（ノズル部６５）の形状に合わせて左右に２つ並んで形成されて、インク吸収部材８８の開口部に挿入されている。また、ヘッドキャップ８９は、上方に向けて開口したキャップ内部空間８９ａ（図５を参照）が形成されており、上端部の開口端面の大きさは、ノズル面６５ａと略同一となっている。載置部材８７は、上部において平板状に形成された載置板８７ａと、載置板８７ａの左右端部から下方に延びた支持脚８７ｂとから構成される。載置板８７ａの上面に、インク吸収部材８８が載置されて固定されており、支持脚８７ｂは、ベース部材８６に対して上下移動可能に取り付けられている。
【００２４】
ベース部材８６は、上方に向けて開口した略箱状に形成されるとともに、その前後端部が前後外方に折曲して縁部８６ａが形成されている。そして、ベース部材８６は、ベースプレート８１に形成されたユニット用開口部８１ａに対して上方から挿入されて、縁部８６ａがベースプレート８１に当接した状態で固定されている。この構成より、ベース部材８６に対して載置部材８７、インク吸収部材８８およびヘッドキャップ８９が一体となって上下移動可能となっている。また、載置板８７ａとベース部材８６との間に、スプリング（図示せず）が載置板８７ａを上方に付勢させた状態で取り付けられている。そのため、キャップユニット８５の上面に対して下方に作用する外力を、載置部材８７、インク吸収部材８８およびヘッドキャップ８９が一体となって下方に移動することにより吸収できる構成となっている。
【００２５】
また、図５に示すように、ヘッドキャップ８９の底面には、インク排出管９０の一端がキャップ内部空間８９ａと連通するように取り付けられている。また、インク排出管９０の他端は、廃インクタンク９２に接続されており、このインク排出管９０には吸引ポンプ９１が介設されている。なお、廃インクタンク９２は、例えばハウジング８０ａの下方外側に設けられている。
【００２６】
以上、プリンタ装置Ｐの部材構成について説明したが、以下において、メンテナンスユニット８０の作動について説明する。
【００２７】
通常印刷時において、プリンタ装置Ｐは、載置台１１に載置されて固定された印刷媒体に対して、印刷ユニット６０がガイドレール５２に案内されて左右に往復移動しながら、吐出開口６５ｃから下方に向けて吐出制御されたインクを吐出する。そして、所定の左右への往復移動が完了すると、印刷ユニット６０は前後にスライド移動され、再び左右に往復移動しながらインクを吐出する。このような動作を繰り返すことにより、印刷媒体の上面の印刷領域全体に所望の文字や図柄が印刷される。
【００２８】
このようにして、長時間連続して吐出開口６５ｃからインクを吐出させて印刷を行った場合、吐出開口６５ｃの周囲に余分なインクやごみ等が付着することがある。また、一定時間吐出開口６５ｃからインクを吐出させないでおくと、インクジェットノズル孔６５ｂにおける吐出開口６５ｃ付近のインクが乾燥して粘度が上昇することがある。上記のような状態のままで吐出開口６５ｃからインクを吐出させて印刷を行うと、所望のパターンでインクを印刷媒体に付着させることが困難となる場合がある。つまり、印刷品質を低下させる虞がある。そのため、上記のような状態から印刷を開始するときには、メンテナンスユニット８０によりメンテナンスを行い、正常にインクを吐出できる状態にした後に印刷を開始する。以下に、メンテナンスユニット８０によるプリンタヘッド６３のメンテナンス方法について説明する。
【００２９】
まず、フラットベッド１０に配設された制御機器類において、メンテナンスユニット８０によるメンテナンスが必要か否かが判断され、メンテナンスが必要であると判断された場合にはプリンタ装置Ｐの各構成部に制御信号が出力される。この制御信号が入力された印刷ユニット６０は、ガイドバー部材５０の左端部５０ｂに移動されてメンテナンスユニット８０の上方に位置し、印刷ユニット６０とメンテナンスユニット８０とが上下に対向した状態となる。そして、上下駆動機構８３によってベースプレート８１が所定高さだけ上方に移動されることにより、ヘッドキャップ８９の上端部の開口端面がプリンタヘッド６３のノズル面６５ａに当接し、ヘッドキャップ８９がノズル面６５ａ（吐出開口６５ｃ）を覆って封止する（図５を参照）。ここで、ヘッドキャップ８９がゴム材等により成形されているので、ノズル面６５ａを傷付けることがない。
【００３０】
またこのとき、インク吸収部材８８の上面８８ａが、プリンタヘッド６３の下端面６６に当接する。より具体的には、図４（ｂ）に示すように、ノズル部６５の周囲に拡がった下端面６６のうち、インク吸収部材８８と上下に対向するハッチングを施したインク除去領域６７にインク吸収部材８８が当接する。そうすることにより、インク除去領域６７に付着したインク滴がインク吸収部材８８に吸収されて除去できる。ここで、載置板８７ａとベース部材８６との間に設けられたスプリングにより、インク吸収部材８８とインク除去領域６７とを、略一定の押圧力で当接させることができるので、インク除去領域６７に付着したインクを確実に吸収させて除去できる。
【００３１】
そして、ヘッドキャップ８９がノズル面６５ａを覆って封止した状態で、吸引ポンプ９１を作動させる。このとき、ヘッドキャップ８９のキャップ内部空間８９ａが負圧になり、インクジェットノズル孔６５ｂに残留するインクは、吐出開口６５ｃから吐出されキャップ内部空間８９ａからインク排出管９０へと進み、廃インクタンク９２に導かれる。こうすることにより、ノズル面６５ａにおける吐出開口６５ｃの周囲に付着した余分なインクやごみ等が除去されるとともに、吐出開口６５ｃ付近における粘度が上昇したインクも除去されて、所望のパターンで印刷媒体にインクを付着可能な状態に回復させることができる。またこのとき、ヘッドキャップ８９がノズル面６５ａを覆っているため、ノズル部６５の周囲近傍からヘッドキャップ８９にインクが吸引されることがなく、よって、吸引されたインクをノズルに付着させて汚染することがない。
【００３２】
そして、所定量（または所定時間）だけインクの吸引が行われると、ベースプレート８１が上下駆動機構８３によって所定高さだけ下方に移動されて、メンテナンスユニット８０によるプリンタヘッド６３のメンテナンスが終了する。その後、印刷ユニット６０がガイドバー部材５０を左端部５０ｂから右方に移動され、印刷媒体に対して印刷が開始される。
【００３３】
上述のようにして、何度もメンテナンスユニット８０によりメンテナンスを行うと、インク吸収部材８８は多量のインクを吸収した状態となり、インク吸収部材８８の表面でインクが乾燥してインクの吸収力が低下することがある。しかし、このようにインクの吸収力が低下する前に、定期的にインク吸収部材８８を交換することにより、確実にインク滴を吸収させて除去することができる。また、上記インク吸収部材８８の交換周期は、例えばオペレータが手作業で行うメンテナンス周期よりも長いため、メンテナンスに要する手間を省くことができる。さらに、キャップユニット８５にインク吸収部材８８を用いて構成することにより、例えばオペレータが手作業でインク滴を除去する場合と比較して、印刷を中断することなく且つノズル部６５を損傷させることなくインク滴を除去できる。
【００３４】
上述の実施形態では、本発明を適用したプリンタ装置の一例として、二軸プリンタヘッド移動タイプに適用した構成例について説明したが、本発明は他の形態のインクジェットプリンタ、例えば一軸印刷媒体移動、一軸プリンタヘッド移動タイプのプリンタ装置や、二軸印刷媒体移動タイプのプリンタ装置に適用することも可能である。また、使用するインクについても、染料系や顔料系など種々のインクを用いたプリンタ装置に適用することができる。
【図面の簡単な説明】
【００３５】
【図１】本発明の実施形態に係るプリンタ装置の外観を示した斜視図である。
【図２】上記プリンタ装置のメンテナンスユニット近傍を示した斜視図である。
【図３】プリンタヘッドとキャップユニットとが上下に対向した状態を示した斜視図である。
【図４】（ａ）はプリンタヘッドの側面図であり、（ｂ）はプリンタヘッドの底面図である。
【図５】メンテナンス時における、プリンタヘッドとキャップユニットとの位置関係を示した断面図である。
【符号の説明】
【００３６】
Ｐ  プリンタ装置
１０  フラットベッド（媒体支持手段）
５０  ガイドバー部材
６３  プリンタヘッド
６５  ノズル部（ノズル突出部）
６５ｂ  インクジェットノズル孔（ノズル）
６５ｃ  吐出開口
６６  下端面（ヘッド底面）
８０  メンテナンスユニット
８８  インク吸収部材
８９  ヘッドキャップ（キャップ部材）
【図１】
2009248432.tif 000003
【図２】
2009248432.tif 000004
【図３】
2009248432.tif 000005
【図４】
2009248432.tif 000006
【図５】
2009248432.tif 000007